【手続補正書】
【提出日】平成17年6月30日(2005.6.30)
【手続補正１】
【補正対象書類名】明細書
【補正対象項目名】特許請求の範囲
【補正方法】変更
【補正の内容】
【特許請求の範囲】
【請求項１】
記録媒体に記録された映像信号及び音声信号を複数の任意の区間に分割し、該複数の区間の再生順序を任意にプログラムして設定可能な編集機能を有する再生装置により再生する再生方法において、前記プログラムに従った再生実行時、前記分割された区間の再生開始位置にて再生を待機し、所定の命令動作に基づいて再生を開始することを特徴とする再生方法。
【請求項２】
前記プログラムに従った再生実行時、再生時の音声ソースとして前記分割された区間に再生されるべき音声信号とは異なる音声信号を選択し、該選択した音声ソースの切り換えを行うことを特徴とする請求項１記載の再生方法。
【請求項３】
前記プログラム設定時、再生時の音声ソースとして前記分割された区間に再生されるべき音声信号とは異なる音声信号が選択可能であり、前記プログラムに従った再生実行時、所定の命令動作に基づいて任意のタイミングで任意の期間、前記分割された区間に再生されるべき音声信号とは異なる音声ソースを出力可能とすることを特徴とする請求項１記載の再生方法。
【請求項４】
前記再生装置は音声信号を入力する音声入力手段を有し、前記分割された区間に再生されるべき音声信号とは異なる音声ソースとして前記音声入力手段から入力される音声信号を用いることを特徴とする請求項２または３記載の再生方法。
【請求項５】
前記再生装置は音声信号を入力する音声入力手段を有し、前記プログラムに従った再生実行時、所定の命令動作に従って任意のタイミングで任意の期間、前記分割された区間に再生されるべき音声信号から前記音声入力手段により入力された音声信号に切り換えることを特徴とする請求項２または３記載の再生方法。
【請求項６】
前記音声入力手段は、前記再生装置に内蔵されたマイクであることを特徴とする請求項４または５記載の再生方法。
【請求項７】
記録媒体に記録された映像信号及び音声信号を複数の任意の区間に分割し、該複数の区間の再生順序を任意にプログラムして設定可能な編集機能を有する再生装置において、前記プログラムに従った再生実行時、前記分割された区間の再生開始位置にて再生を待機し、所定の命令動作に基づいて再生を開始するように制御する制御手段を有することを特徴とする再生装置。
【請求項８】
前記制御手段は、前記プログラムに従った再生実行時、再生時の音声ソースとして前記分割された区間に再生されるべき音声信号とは異なる音声信号を選択し、該選択した音声ソースの切り換えを行うように制御することを特徴とする請求項７記載の再生装置。
【請求項９】
前記制御手段は、前記プログラム設定時、再生時の音声ソースとして前記分割された区間に再生されるべき音声信号とは異なる音声信号が選択可能であり、前記プログラムに従った再生実行時、所定の命令動作に基づいて任意のタイミングで任意の期間、前記分割された区間に再生されるべき音声信号とは異なる音声ソースを出力可能とするように制御することを特徴とする請求項７記載の再生装置。
【請求項１０】
音声信号を入力する音声入力手段を有し、前記制御手段は、前記分割された区間に再生されるべき音声信号とは異なる音声ソースとして前記音声入力手段から入力される音声信号を用いるように制御することを特徴とする請求項８または９記載の再生装置。
【請求項１１】
音声信号を入力する音声入力手段を有し、前記制御手段は、前記プログラムに従った再生実行時、所定の命令動作に従って任意のタイミングで任意の期間、前記分割された区間に再生されるべき音声信号から前記音声入力手段により入力された音声信号に切り換えるように制御することを特徴とする請求項８または９記載の再生装置。
【請求項１２】
前記音声入力手段は、内蔵マイクであることを特徴とする請求項１０または１１記載の再生装置。
【請求項１３】
記録媒体に記録された映像信号及び音声信号を複数の任意の区間に分割し、該複数の区間の再生順序を任意にプログラムして設定可能な編集機能を有する再生装置を制御する制御プログラムを格納する記憶媒体であって、前記プログラムに従った再生実行時、前記分割された区間の再生開始位置にて再生を待機し、所定の命令動作に基づいて再生を開始するように制御するステップの制御モジュールを有する制御プログラムを格納したことを特徴とする記憶媒体。
【請求項１４】
前記制御プログラムは、前記プログラムに従った再生実行時、再生時の音声ソースとして前記分割された区間に再生されるべき音声信号とは異なる音声信号を選択し、該選択した音声ソースの切り換えを行うように制御するステップの制御モジュールを有することを特徴とする請求項１３記載の記憶媒体。
【請求項１５】
前記制御プログラムは、前記プログラム設定時、再生時の音声ソースとして前記分割された区間に再生されるべき音声信号とは異なる音声信号が選択可能であり、前記プログラムに従った再生実行時、所定の命令動作に基づいて任意のタイミングで任意の期間、前記分割された区間に再生されるべき音声信号とは異なる音声ソースを出力可能とするように制御するステップの制御モジュールを有することを特徴とする請求項１３記載の記憶媒体。
【手続補正２】
【補正対象書類名】明細書
【補正対象項目名】０００４
【補正方法】変更
【補正の内容】
【０００４】
信号処理部３は、映像信号出力端子３−１、音声信号出力端子３−２及び外部映像信号入力端子３−３を有している。また、入力音声処理部４は、内蔵マイク４−１、外部マイク入力端子４−２及び外部音声信号入力端子４−３を有している。更に、キー入力部７は、各種のスイッチ（ＳＷ１乃至ＳＷ１２）を有している。
【手続補正３】
【補正対象書類名】明細書
【補正対象項目名】００２７
【補正方法】変更
【補正の内容】
【００２７】
【課題を解決するための手段】
上記第１の目的を達成するために請求項１記載の再生方法は、記録媒体に記録された映像信号及び音声信号を複数の任意の区間に分割し、該複数の区間の再生順序を任意にプログラムして設定可能な編集機能を有する再生装置により再生する再生方法において、前記プログラムに従った再生実行時、前記分割された区間の再生開始位置にて再生を待機し、所定の命令動作に基づいて再生を開始することを特徴とする。
【手続補正４】
【補正対象書類名】明細書
【補正対象項目名】００２８
【補正方法】変更
【補正の内容】
【００２８】
また、上記第１の目的を達成するために請求項２記載の再生方法は、請求項１記載の再生方法において、前記プログラムに従った再生実行時、再生時の音声ソースとして前記分割された区間に再生されるべき音声信号とは異なる音声信号を選択し、該選択した音声ソースの切り換えを行うことを特徴とする。
【手続補正５】
【補正対象書類名】明細書
【補正対象項目名】００２９
【補正方法】変更
【補正の内容】
【００２９】
また、上記第１の目的を達成するために請求項３記載の再生方法は、請求項１記載の再生方法において、前記プログラム設定時、再生時の音声ソースとして前記分割された区間に再生されるべき音声信号とは異なる音声信号が選択可能であり、前記プログラムに従った再生実行時、所定の命令動作に基づいて任意のタイミングで任意の期間、前記分割された区間に再生されるべき音声信号とは異なる音声ソースを出力可能とすることを特徴とする。
【手続補正６】
【補正対象書類名】明細書
【補正対象項目名】００３０
【補正方法】変更
【補正の内容】
【００３０】
また、上記第１の目的を達成するために請求項４記載の再生方法は、請求項２または３記載の再生方法において、前記再生装置は音声信号を入力する音声入力手段を有し、前記分割された区間に再生されるべき音声信号とは異なる音声ソースとして前記音声入力手段から入力される音声信号を用いることを特徴とする。
【手続補正７】
【補正対象書類名】明細書
【補正対象項目名】００３１
【補正方法】変更
【補正の内容】
【００３１】
また、上記第１の目的を達成するために請求項５記載の再生方法は、請求項２または３記載の再生方法において、前記再生装置は音声信号を入力する音声入力手段を有し、前記プログラムに従った再生実行時、所定の命令動作に従って任意のタイミングで任意の期間、前記分割された区間に再生されるべき音声信号から前記音声入力手段により入力された音声信号に切り換えることを特徴とする。
【手続補正８】
【補正対象書類名】明細書
【補正対象項目名】００３２
【補正方法】削除
【補正の内容】
【手続補正９】
【補正対象書類名】明細書
【補正対象項目名】００３３
【補正方法】変更
【補正の内容】
【００３３】
また、上記第１の目的を達成するために請求項６記載の再生方法は、請求項４または５記載の再生方法において、前記音声入力手段は、前記再生装置に内蔵されたマイクであることを特徴とする。
【手続補正１０】
【補正対象書類名】明細書
【補正対象項目名】００３４
【補正方法】変更
【補正の内容】
【００３４】
また、上記第１の目的を達成するために請求項７記載の再生装置は、記録媒体に記録された映像信号及び音声信号を複数の任意の区間に分割し、該複数の区間の再生順序を任意にプログラムして設定可能な編集機能を有する再生装置において、前記プログラムに従った再生実行時、前記分割された区間の再生開始位置にて再生を待機し、所定の命令動作に基づいて再生を開始するように制御する制御手段を有することを特徴とする。
【手続補正１１】
【補正対象書類名】明細書
【補正対象項目名】００３５
【補正方法】変更
【補正の内容】
【００３５】
また、上記第１の目的を達成するために請求項８記載の再生装置は、請求項７記載の再生装置において、前記制御手段は、前記プログラムに従った再生実行時、再生時の音声ソースとして前記分割された区間に再生されるべき音声信号とは異なる音声信号を選択し、該選択した音声ソースの切り換えを行うように制御することを特徴とする。
【手続補正１２】
【補正対象書類名】明細書
【補正対象項目名】００３６
【補正方法】変更
【補正の内容】
【００３６】
また、上記第１の目的を達成するために請求項９記載の再生装置は、請求項７記載の再生装置において、前記制御手段は、前記プログラム設定時、再生時の音声ソースとして前記分割された区間に再生されるべき音声信号とは異なる音声信号が選択可能であり、前記プログラムに従った再生実行時、所定の命令動作に基づいて任意のタイミングで任意の期間、前記分割された区間に再生されるべき音声信号とは異なる音声ソースを出力可能とするように制御することを特徴とする。
【手続補正１３】
【補正対象書類名】明細書
【補正対象項目名】００３７
【補正方法】変更
【補正の内容】
【００３７】
また、上記第１の目的を達成するために請求項１０記載の再生装置は、請求項８または９記載の再生装置において、音声信号を入力する音声入力手段を有し、前記制御手段は、前記分割された区間に再生されるべき音声信号とは異なる音声ソースとして前記音声入力手段から入力される音声信号を用いるように制御することを特徴とする。
【手続補正１４】
【補正対象書類名】明細書
【補正対象項目名】００３８
【補正方法】変更
【補正の内容】
【００３８】
また、上記第１の目的を達成するために請求項１１記載の再生装置は、請求項８または９記載の再生装置において、音声信号を入力する音声入力手段を有し、前記制御手段は、前記プログラムに従った再生実行時、所定の命令動作に従って任意のタイミングで任意の期間、前記分割された区間に再生されるべき音声信号から前記音声入力手段により入力された音声信号に切り換えるように制御することを特徴とする。
【手続補正１５】
【補正対象書類名】明細書
【補正対象項目名】００３９
【補正方法】削除
【補正の内容】
【手続補正１６】
【補正対象書類名】明細書
【補正対象項目名】００４０
【補正方法】変更
【補正の内容】
【００４０】
また、上記第１の目的を達成するために請求項１２記載の再生装置は、請求項１０または１１記載の再生装置において、前記音声入力手段は、内蔵マイクであることを特徴とする。
【手続補正１７】
【補正対象書類名】明細書
【補正対象項目名】００４１
【補正方法】変更
【補正の内容】
【００４１】
また、上記第２の目的を達成するために請求項１３記載の記憶媒体は、記録媒体に記録された映像信号及び音声信号を複数の任意の区間に分割し、該複数の区間の再生順序を任意にプログラムして設定可能な編集機能を有する再生装置を制御する制御プログラムを格納する記憶媒体であって、前記プログラムに従った再生実行時、前記分割された区間の再生開始位置にて再生を待機し、所定の命令動作に基づいて再生を開始するように制御するステップの制御モジュールを有する制御プログラムを格納したことを特徴とする。
【手続補正１８】
【補正対象書類名】明細書
【補正対象項目名】００４２
【補正方法】変更
【補正の内容】
【００４２】
また、上記第２の目的を達成するために請求項１４記載の記憶媒体は、請求項１３記載の記憶媒体において、前記制御プログラムは、前記プログラムに従った再生実行時、再生時の音声ソースとして前記分割された区間に再生されるべき音声信号とは異なる音声信号を選択し、該選択した音声ソースの切り換えを行うように制御するステップの制御モジュールを有することを特徴とする。
【手続補正１９】
【補正対象書類名】明細書
【補正対象項目名】００４３
【補正方法】変更
【補正の内容】
【００４３】
また、上記第２の目的を達成するために請求項１５記載の記憶媒体は、請求項１３記載の記憶媒体において、前記制御プログラムは、前記プログラム設定時、再生時の音声ソースとして前記分割された区間に再生されるべき音声信号とは異なる音声信号が選択可能であり、前記プログラムに従った再生実行時、所定の命令動作に基づいて任意のタイミングで任意の期間、前記分割された区間に再生されるべき音声信号とは異なる音声ソースを出力可能とするように制御するステップの制御モジュールを有することを特徴とする。
【手続補正２０】
【補正対象書類名】明細書
【補正対象項目名】００４４
【補正方法】削除
【補正の内容】
【手続補正２１】
【補正対象書類名】明細書
【補正対象項目名】００４５
【補正方法】削除
【補正の内容】
【手続補正２２】
【補正対象書類名】明細書
【補正対象項目名】００４６
【補正方法】削除
【補正の内容】
【手続補正２３】
【補正対象書類名】明細書
【補正対象項目名】００４７
【補正方法】削除
【補正の内容】
【手続補正２４】
【補正対象書類名】明細書
【補正対象項目名】００６７
【補正方法】変更
【補正の内容】
【００６７】
一方、外部記録装置では、遠隔操作信号送出部８より送られてくる開始制御信号及び停止制御信号に応じて映像信号出力端子３−１及び音声信号出力端子３−２より出力される映像再生信号及び音声再生信号の記録開始及び停止を繰り返し行い、編集用記録媒体として用意された磁気記録テープを作成する。
【手続補正２５】
【補正対象書類名】明細書
【補正対象項目名】００９１
【補正方法】変更
【補正の内容】
【００９１】
一方、外部記録装置では、遠隔操作信号送出部８より送られてくる開始制御信号及び停止制御信号に応じて映像信号出力端子３−１及び音声信号出力端子３−２より出力される映像再生信号及び音声再生信号の記録開始及び停止を繰り返し行い、編集用記録媒体として用意された磁気記録テープを作成する。
【手続補正２６】
【補正対象書類名】明細書
【補正対象項目名】０１１６
【補正方法】変更
【補正の内容】
【０１１６】
一方、外部記録装置では、遠隔操作信号送出部８より送られてくる開始制御信号及び停止制御信号に応じて映像信号出力端子３−１及び音声信号出力端子３−２より出力される映像再生信号及び音声再生信号の記録開始及び停止を繰り返し行い、編集用記録媒体として用意された磁気記録テープを作成する。
【手続補正２７】
【補正対象書類名】明細書
【補正対象項目名】０１３０
【補正方法】変更
【補正の内容】
【０１３０】
一方、外部記録装置では、遠隔操作信号送出部８より送られてくる開始制御信号及び停止制御信号に応じて映像信号出力端子３−１及び音声信号出力端子３−２より出力される映像再生信号及び音声再生信号の記録開始及び停止を繰り返し行い、編集用記録媒体として用意された磁気記録テープを作成する。
【手続補正２８】
【補正対象書類名】明細書
【補正対象項目名】符号の説明
【補正方法】変更
【補正の内容】
【符号の説明】
１      システムコントロール部
２      メカシャーシ部
３      信号処理部
３−１  映像信号出力端子
３−２  音声信号出力端子
３−３  外部映像信号入力端子
４      入力音声処理部
４−１  内蔵マイク
４−２  外部マイク入力端子
４−３  外部音声入力端子
５      ＥＶＦ（エレクトリックビューファインダー）
６      スピーカ部
７      キー入力部
８      遠隔操作信号送出部